【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
重なりを有する複数の描画オブジェクトを含む画像データの入力を受け付ける入力手段と、
前記入力手段により受け付けられた前記画像データに含まれる前記複数の描画オブジェクトのそれぞれに対応する複数のピクセルデータを生成するピクセルデータ生成手段と、
前記ピクセルデータ生成手段により生成された複数のピクセルデータを、前記複数のピクセルデータに対応する複数のランレングス情報に圧縮するピクセルデータ圧縮手段と、
前記描画オブジェクトの描画情報に基づいて、前記ピクセルデータの重ね合わせを行うか、または前記ランレングス情報の重ね合わせを行うかを選択する選択手段と、
前記選択手段の選択により、前記ピクセルデータの重ね合わせを行う画素データ重ね合わせ手段と、
前記選択手段の選択により、前記ランレングス情報の重ね合わせを行う圧縮ピクセル重ね合わせ手段と、
を有することを特徴とする画像形成装置。
【請求項２】
前記複数のランレングス情報から、同一の特性を有するピクセルの繰り返しをカウントし、前記カウントの結果から最小値を算出する算出手段を更に備え、
前記圧縮ピクセル重ね合わせ手段は、前記算出手段により算出された前記最小値のピクセル分、前記ランレングス情報の重ね合わせ処理を行うことを特徴とする請求項１に記載の画像形成装置。
【請求項３】
前記算出手段は、前記ピクセルが有する色値が等しいピクセル同士を同一の特性を有するピクセルとして前記最小値を算出することを特徴とする請求項２に記載の画像形成装置。
【請求項４】
前記選択手段は、前記描画情報に含まれる前記描画オブジェクトの拡縮率が予め定められた閾値以上の場合、圧縮ピクセル重ね合わせ処理を選択し、
拡縮率が予め定められた閾値より小さい場合、前記選択手段は、画素データ重ね合わせ処理を選択することを特徴とする請求項１に記載の画像形成装置。
【請求項５】
前記選択手段は、前記描画情報に含まれる主走査方向の画素間の色差が、予め定められた閾値以上の場合、前記画素データ重ね合わせ処理を選択し、
前記主走査方向の色差が予め定められた閾値より小さい場合、前記選択手段は、前記圧縮ピクセル重ね合わせ処理を選択することを特徴とする請求項１に記載の画像形成装置。
【請求項６】
前記選択手段は、前記描画情報に設定されている圧縮方式がＪＰＥＧの場合、前記画素データ重ね合わせ処理を選択し、
圧縮方式がＴｉｆｆの場合、前記選択手段は、前記圧縮ピクセル重ね合わせ処理を選択することを特徴とする請求項１に記載の画像形成装置。
【請求項７】
前記ランレングス情報をピクセルデータに伸張する伸張処理を行う伸張手段を更に備え、
前記画素データ重ね合わせ手段は、前記伸張手段により前記伸張処理されたピクセルデータの重ね合わせ処理を行うことを特徴とする請求項１に記載の画像形成装置。
【請求項８】
入力手段と、ピクセルデータ生成手段と、ピクセルデータ圧縮手段と、選択手段と、画素データ重ね合わせ手段と、圧縮ピクセル重ね合わせ手段と、を有する画像形成装置における画像形成方法であって、
前記入力手段が、重なりを有する複数の描画オブジェクトを含む画像データの入力を受け付ける入力工程と、
前記ピクセルデータ生成手段が、前記入力工程で受け付けられた前記画像データに含まれる前記複数の描画オブジェクトのそれぞれに対応する複数のピクセルデータを生成するピクセルデータ生成工程と、
前記ピクセルデータ圧縮手段が、前記ピクセルデータ生成工程で生成された複数のピクセルデータを、前記複数のピクセルデータに対応する複数のランレングス情報に圧縮するピクセルデータ圧縮工程と、
前記選択手段が、前記描画オブジェクトの描画情報に基づいて、前記ピクセルデータの重ね合わせを行うか、または前記ランレングス情報の重ね合わせを行うかを選択する選択工程と、
前記画素データ重ね合わせ手段が、前記選択工程での選択により、前記ピクセルデータの重ね合わせを行う画素データ重ね合わせ工程と、
前記圧縮ピクセル重ね合わせ手段が、前記選択工程での選択により、前記ランレングス情報の重ね合わせを行う圧縮ピクセル重ね合わせ工程と、
を有することを特徴とする画像形成方法。
【請求項９】
前記画像形成装置は、算出手段を更に備え、
前記算出手段が、前記複数のランレングス情報から、同一の特性を有するピクセルの繰り返しをカウントし、前記カウントの結果から最小値を算出する算出工程を更に有し、
前記圧縮ピクセル重ね合わせ工程では、前記算出工程で算出された前記最小値のピクセル分、前記ランレングス情報の重ね合わせ処理を行うことを特徴とする請求項８に記載の画像形成方法。
【請求項１０】
前記算出工程では、前記ピクセルが有する色値が等しいピクセル同士を同一の特性を有するピクセルとして前記最小値を算出することを特徴とする請求項９に記載の画像形成方法。
【請求項１１】
前記選択工程は、前記描画情報に含まれる前記描画オブジェクトの拡縮率が予め定められた閾値以上の場合、前記圧縮ピクセル重ね合わせ処理を選択し、
拡縮率が予め定められた閾値より小さい場合、前記選択工程は、画素データ重ね合わせ処理を選択することを特徴とする請求項８に記載の画像形成方法。
【請求項１２】
前記選択工程は、前記描画情報に含まれる主走査方向の画素間の色差が、予め定められた閾値以上の場合、前記画素データ重ね合わせ処理を選択し、
前記主走査方向の色差が予め定められた閾値より小さい場合、前記選択工程は、前記圧縮ピクセル重ね合わせ処理を選択することを特徴とする請求項８に記載の画像形成方法。
【請求項１３】
前記選択工程は、前記描画情報に設定されている圧縮方式がＪＰＥＧの場合、前記画素データ重ね合わせ処理を選択し、
圧縮方式がＴｉｆｆの場合、前記選択工程は、前記圧縮ピクセル重ね合わせ処理を選択することを特徴とする請求項８に記載の画像形成方法。
【請求項１４】
前記画像形成装置は、伸張手段を更に備え、
前記伸張手段が、前記ランレングス情報をピクセルデータに伸張する伸張処理を行う伸張工程を更に有し、
前記画素データ重ね合わせ工程は、前記伸張工程により前記伸張処理されたピクセルデータの重ね合わせ処理を行うことを特徴とする請求項８に記載の画像形成方法。
【請求項１５】
請求項８乃至１４のいずれか１項に記載の画像形成方法をコンピュータに実行させることを特徴とするプログラム。
【請求項１６】
請求項１５に記載されたプログラムを格納したことを特徴とするコンピュータ可読の記憶媒体。
【請求項１７】
複数の描画オブジェクトを有する画像データを入力し、入力された画像データに基づき画像形成処理を行う画像形成装置において、
前記描画オブジェクトのピクセルデータを生成する生成手段と、
前記生成手段により生成されたピクセルデータをランレングス情報に圧縮する圧縮手段と、
複数の前記ランレングス情報から、繰り返し情報の最小値を算出する算出手段と、
複数の前記ランレングス情報の重ね合わせ処理を前記算出手段により算出された最小値のピクセル分の行う重ね合わせ手段と、
を有することを特徴とする画像形成装置。
【手続補正２】
【補正対象書類名】明細書
【補正対象項目名】０００７
【補正方法】変更
【補正の内容】
【０００７】
上記の目的を達成する本発明にかかる画像形成装置は、重なりを有する複数の描画オブジェクトを含む画像データの入力を受け付ける入力手段と、
前記入力手段により受け付けられた前記画像データに含まれる前記複数の描画オブジェクトのそれぞれに対応する複数のピクセルデータを生成するピクセルデータ生成手段と、
前記ピクセルデータ生成手段により生成された複数のピクセルデータを、前記複数のピクセルデータに対応する複数のランレングス情報に圧縮するピクセルデータ圧縮手段と、
前記描画オブジェクトの描画情報に基づいて、前記ピクセルデータの重ね合わせを行うか、または前記ランレングス情報の重ね合わせを行うかを選択する選択手段と、
前記選択手段の選択により、前記ピクセルデータの重ね合わせを行う画素データ重ね合わせ手段と、
前記選択手段の選択により、前記ランレングス情報の重ね合わせを行う圧縮ピクセル重ね合わせ手段と、
を有することを特徴とする。